(57)【要約】【課題】この発明は、小型化が図れる外部入出力回路を提供することを目的とする。【解決手段】入力専用端子を含む第１の入力回路、入出力兼用端子、入出力兼用端子に接続された第２の入力バッファ、ならびに入出力兼用端子と接地間に接続された、終端抵抗およびスイッチング素子の直列回路を備えた第２の入力回路、第１の入力回路の出力を増幅して入出力兼用端子に送るための出力バッファを備えた出力回路、ならびに入出力兼用端子を入力端子として使用する場合には、第２の入力回路内のスイッチング素子をオンさせるとともに、出力回路内の出力バッファをハイインピーダンスにさせ、入出力兼用端子を出力端子として使用する場合には、第２の入力回路内のスイッチング素子をオフさせるための制御手段を備えている。【選択図】　図１
2004104755.tif 000002
【特許請求の範囲】
【請求項１】
入力専用端子を含む第１の入力回路、
入出力兼用端子を含む第２の入力回路、
上記第１の入力回路の出力と上記第２の入力回路の出力とのうちのいずれか一方を外部入力信号として選択して機器内部に取り込むとともに、上記第１の入力回路の出力を外部入力信号として選択した場合には、上記第１の入力回路の出力を上記入出力兼用端子にも送るための切替手段、ならびに
上記入出力兼用端子を入力端子として使用する場合には、上記切替手段が上記第２の入力回路の出力を外部入力信号として選択するように上記切替手段を制御し、上記入出力兼用端子を出力端子として使用する場合には、上記切替手段が上記第１の入力回路の出力を外部入力信号として選択するように上記スイッチを制御する制御手段、
を備えている外部入出力回路。
【請求項２】
入力専用端子、入力専用端子に接続された第１の入力バッファおよび入力端子と接地間に接続された終端抵抗を備えた第１の入力回路、
入出力兼用端子、入出力兼用端子に接続された第２の入力バッファ、ならびに入出力兼用端子と接地間に接続された、終端抵抗およびスイッチング素子の直列回路を備えた第２の入力回路、
上記第１の入力回路の出力を増幅して上記入出力兼用端子に送るための出力バッファを備えた出力回路、
上記第１の入力回路の出力と上記第２の入力回路の出力とのうちのいずれか一方を外部入力信号として選択するためのスイッチ、ならびに
上記入出力兼用端子を入力端子として使用する場合には、上記スイッチが上記第２の入力回路の出力を外部入力信号として選択するように上記スイッチを制御し、かつ、上記第２の入力回路内のスイッチング素子をオンさせるとともに、上記出力回路内の出力バッファをハイインピーダンスにさせ、上記入出力兼用端子を出力端子として使用する場合には、上記スイッチが上記第１の入力回路の出力を外部入力信号として選択するように上記スイッチを制御するとともに、上記第２の入力回路内のスイッチング素子をオフさせるための制御手段、
を備えている外部入出力回路。
【請求項３】
上記制御手段は、上記入出力兼用端子を出力端子として使用する場合に、上記第２の入力回路内の第２の入力バッファをハイインピーダンスにさせる手段を備えている請求項２に記載の外部入出力回路。
【発明の詳細な説明】
【０００１】
【発明の属する技術分野】
この発明は、例えば、液晶プロジェクタに採用される外部入出力回路に関する。
【０００２】
【従来の技術】
図３は、モバイル用の液晶プロジェクタに採用されている従来の外部入出力回路を示している。
【０００３】
この外部入出力回路は、この外部入出力回路は、ＰＣ用アナログＲＧＢ信号の外部入出力回路であり、ＲＧＢのうちの１つの信号に対する外部入出力回路を示している。この外部入出力回路は、２つの入力端子１０１、１０２と、１つの出力端子１０３とを備えている。入力端子１０１に入力された信号は、７５Ωの終端抵抗１１１にインピーダンス整合された後、抵抗１１２を介して入力バッファ１１３に送られる。入力端子１０２に入力された信号は、７５Ωの終端抵抗１２１にインピーダンス整合された後、抵抗１２２を介して入力バッファ１２３に送られる。抵抗１１２および１２２は、１０Ω程度の保護用抵抗である。
【０００４】
入力バッファ１１２の出力端子および入力バッファ１２２の出力端子は、スイッチ１３１の異なる入力端子にそれぞれ接続されている。２つの入力バッファ１１２、１２２の出力信号のうち、スイッチ１３１によって選択された信号は、バッファ１３２を介して液晶プロジェクタ本体内に導かれて表示されるとともに、出力バッファ（アンプバッファ）１３３に送られて増幅される。出力バッファ１３３の出力信号は、７５Ωの抵抗１３４を介して出力端子１０３に送られる。
【０００５】
なお、各バッファ１１３、１２３、１３２、１３３は、±５Ｖの電源によって駆動されている。
【０００６】
図３に示すように、外部入出力回路に用いられている各接続端子１０１、１０２、１０３は、入力用または出力用のいずれかに限定して使用されている。一般に、外部入出力回路において、接続端子部分（入力端子部分および出力端子部分）は、回路部分よりも基板上の占有面積が大きい。このため、モバイル用の液晶プロジェクタ等の小型モニター機器において、機器の小型化を図る上で、使用できる入出力端子数に制限があった。言い換えれば、入出力端子数が多くなると、小型化が妨げられるという問題がある。
【０００７】
【発明が解決しようとする課題】
この発明は、小型化が図れる外部入出力回路を提供することを目的とする。
【０００８】
【課題を解決するための手段】
請求項１に記載の発明は、入力専用端子を含む第１の入力回路、入出力兼用端子を含む第２の入力回路、上記第１の入力回路の出力と上記第２の入力回路の出力とのうちのいずれか一方を外部入力信号として選択して機器内部に取り込むとともに、上記第１の入力回路の出力を外部入力信号として選択した場合には、上記第１の入力回路の出力を上記入出力兼用端子にも送るための切替手段、ならびに上記入出力兼用端子を入力端子として使用する場合には、上記切替手段が上記第２の入力回路の出力を外部入力信号として選択するように上記切替手段を制御し、上記入出力兼用端子を出力端子として使用する場合には、上記切替手段が上記第１の入力回路の出力を外部入力信号として選択するように上記スイッチを制御する制御手段を備えていることを特徴とする。
【０００９】
請求項２に記載の発明は、入力専用端子、入力専用端子に接続された第１の入力バッファおよび入力端子と接地間に接続された終端抵抗を備えた第１の入力回路、入出力兼用端子、入出力兼用端子に接続された第２の入力バッファ、ならびに入出力兼用端子と接地間に接続された、終端抵抗およびスイッチング素子の直列回路を備えた第２の入力回路、上記第１の入力回路の出力を増幅して上記入出力兼用端子に送るための出力バッファを備えた出力回路、上記第１の入力回路の出力と上記第２の入力回路の出力とのうちのいずれか一方を外部入力信号として選択するためのスイッチ、ならびに上記入出力兼用端子を入力端子として使用する場合には、上記スイッチが上記第２の入力回路の出力を外部入力信号として選択するように上記スイッチを制御し、かつ、上記第２の入力回路内のスイッチング素子をオンさせるとともに、上記出力回路内の出力バッファをハイインピーダンスにさせ、上記入出力兼用端子を出力端子として使用する場合には、上記スイッチが上記第１の入力回路の出力を外部入力信号として選択するように上記スイッチを制御するとともに、上記第２の入力回路内のスイッチング素子をオフさせるための制御手段を備えていることを特徴とする。
【００１０】
請求項３に記載の発明は、請求項２に記載の外部入出力回路において、上記制御手段は、上記入出力兼用端子を出力端子として使用する場合に、上記第２の入力回路内の第２の入力バッファをハイインピーダンスにさせる手段を備えていることを特徴とする。
【００１１】
【発明の実施の形態】
以下、図面を参照して、この発明をモバイル用の液晶プロジェクタに採用されている外部入出力回路に適用した場合の実施の形態について説明する。
【００１２】
〔１〕第１の実施の形態の説明
図１は、モバイル用の液晶プロジェクタに採用されている外部入出力回路の第１の実施の形態を示している。
【００１３】
この外部入出力回路は、ＰＣ用アナログＲＧＢ信号の外部入出力回路であり、ＲＧＢのうちの１つの信号に対する外部入出力回路を示している。外部入出力回路は、１つの入力専用端子１と、１つの入出力兼用端子２とを備えている。
【００１４】
入力専用端子１は、１０Ω程度の保護抵抗１１を介して入力バッファ１２の入力端子に接続されている。入力専用端子１と抵抗１１との接続点は、７５Ωの終端抵抗１３を介して接地されている。入力専用端子１、保護抵抗１１、入力バッファ１２および終端抵抗１３によって第１の入力回路が構成されている。
【００１５】
入力バッファ１２の出力端子は、スイッチ１４の第１入力端子１４ａに接続されているとともに、イネーブル機能を備えた出力バッファ（アンプバッファ）１６の入力端子に接続されている。
【００１６】
入出力兼用端子２は、１０Ω程度の保護抵抗２１を介して入力バッファ２２の入力端子に接続されている。入出力兼用端子２と抵抗２１との接続点には、出力バッファ１６の出力端子が７５Ωの出力抵抗１７を介して接続されている。また、入出力兼用端子２と抵抗２１との接続点は、７５Ωの終端抵抗２３、ＰＮＰトランジスタからなるスイッチング素子２４を介して接地されている。
【００１７】
入出力兼用端子２、保護抵抗２１、入力バッファ２２、終端抵抗２３およびスイッチング素子２４によって第２の入力回路が構成されている。出力バッファ１６、出力抵抗１７および入出力兼用端子２によって出力回路が構成されている。
【００１８】
入力バッファ２２の出力端子は、スイッチ１４の第２入力端子１４ｂに接続されている。スイッチ１４の出力端子は、バッファ１５を介して液晶プロジェクタ本体内の回路に接続されている。
【００１９】
スイッチング素子２４のエミッタは７５Ωの終端抵抗２５に接続され、コレクタは接地されている。スイッチング素子２４のベースは、電流制限用抵抗２５を介してスイッチ２６の出力端子に接続されている。
【００２０】
各バッファ１２、１５、１６、２２は、±５Ｖの電源によって駆動されている。また、スイッチ２６の第１入力端子２６ａには＋５Ｖが印加されており、スイッチ２６の第２入力端子２６ｂには−５Ｖが印加されている。
【００２１】
各スイッチ１４、２６は、液晶プロジェクタ本体内のマイコン３０によって切り替え制御される。マイコン３０は、スイッチ１４、２６を制御するための切り替え制御信号として、ＨレベルまたはＬレベルの切替制御信号を出力する。なお、マイコン３０は、スイッチ１４、２６の切り替え制御を、図示しない操作部（本体操作部またはリモコン）上のキー操作またはメニュー画面上での設定操作に基づいて行う。
【００２２】
Ｈレベルの切替制御信号が出力されている場合には、各スイッチ１４、２６は、第１入力端子１４ａ、２６ａに入力されている信号を選択して出力し、Ｌレベルの切替制御信号が出力されている場合には、各スイッチ１４、２６は、第２入力端子１４ｂ、２６ｂに入力されている信号を選択して出力する。
【００２３】
また、切替制御信号は、インバータ２７の入力端子にも入力されている。インバータ２７の出力端子は、出力バッファ１６のイネーブル端子に接続されている。出力バッファ１６は、そのイネーブル端子にＬレベルの信号が印加されている場合（切替制御信号がＨレベルの場合）には、イネーブルとなり、Ｈレベルの信号が印加されている場合（切替制御信号がＬレベルの場合）にはディセーブルとなってハイインピーダンスになる。
【００２４】
以下、上記外部入出力回路の動作について説明する。
【００２５】
（１）入出力兼用端子２を入力端子として使用する場合についての動作
【００２６】
入出力兼用端子２を入力端子として使用する場合には、切替制御信号はＬレベルにされる。したがって、各スイッチ１４、２６は、第２入力端子１４ｂ、２６ｂに入力されている信号を選択して出力する。また、出力バッファ１６は、ディセーブルとなってハイインピーダンスになる。
【００２７】
スイッチ２６が第２入力端子２６ｂ（−５Ｖが印加されている第２入力端子２６ｂ）側に切り替えられると、スイッチング素子２４がオンとなり、終端抵抗２５が接地される。このため、入出力兼用端子２に入力された入力信号は、終端抵抗２５にインピーダンス整合された後、保護抵抗２１を介して入力バッファ２２に入力される。そして、入力バッファ２２の出力信号は、スイッチ１４およびバッファを介して液晶プロジェクタ本体内の回路に導かれる。
【００２８】
一方、入力専用端子１に入力された入力信号は、保護抵抗１１を介して入力バッファ１２に入力され、入力バッファ２２の出力信号は、終端抵抗１３にインピーダンス整合された後、出力バッファ１６に送られるが、出力バッファ１６はハイインピーダンスとなっているため、出力バッファ１６および出力抵抗１７からなる回路は、入出力兼用端子２、保護抵抗２１、入力バッファ２２および終端抵抗２５からなる第２の入力回路に影響を与えない。
【００２９】
なお、入力バッファ１２の出力信号はバッファ１５の前段のスイッチ１４によって選択されないので、バッファ１５に影響を与えない。
【００３０】
（２）入出力兼用端子２を出力端子として使用する場合についての動作
【００３１】
入出力兼用端子２を出力端子として使用する場合、つまり、入力専用端子１に入力された入力信号を入出力兼用端子２から出力させる場合には、切替制御信号はＨレベルにされる。したがって、各スイッチ１４、２６は、第１入力端子１４ａ、２６ａに入力されている信号を選択して出力する。また、出力バッファ１６は、イネーブルとなる。
【００３２】
入力専用端子１に入力された入力信号は、終端抵抗１３にインピーダンス整合された後、保護抵抗１１を介して入力バッファ１２に入力される。入力バッファ１２の出力信号は、スイッチ１４およびバッファを介して液晶プロジェクタ本体内の回路に導かれる。
【００３３】
また、入力バッファ１２の出力信号は、出力バッファ１６に送られて増幅された後、出力抵抗１７を介して入出力兼用端子２に送られる。
【００３４】
スイッチ２６が第１入力端子２６ａ（＋５Ｖが印加されている第１入力端子２６ａ）側に切り替えられると、スイッチング素子２４がオフとなり、終端抵抗２５は非接地状態となるため、終端抵抗２５およびスイッチング素子２４からなる回路は、出力バッファ１６、出力抵抗１７および入出力兼用端子２からなる出力回路に影響を与えない。
【００３５】
なお、入力バッファ２２は作動しているが、その出力信号はバッファ１５の前段のスイッチ１４によって選択されないので、バッファ１５に影響を与えない。
【００３６】
〔２〕第２の実施の形態の説明
【００３７】
図２は、モバイル用の液晶プロジェクタに採用されている外部入出力回路の第２の実施の形態を示している。図２において、図１と同じものには、同じ符号を付してその説明を省略する。
【００３８】
図２の外部入出力回路では、図１の入力バッファ２２の代わりに、イネーブル機能を備えた入力バッファ２２Ａが用いられており、入出力兼用端子２を出力端子として使用する場合には、入力バッファ２２Ａがディセーブルとされるようになっている。
【００３９】
つまり、入力バッファ２２Ａのイネーブル端子に切替制御信号が入力されている。入力バッファ２２Ａは、そのイネーブル端子にＬレベルの信号が印加されている場合（切替制御信号がＬレベルの場合）にはイネーブルとなり、Ｈレベルの信号が印加されている場合（切替制御信号がＨレベルの場合）にはディセーブルとなってハイインピーダンスになる。
【００４０】
したがって、入出力兼用端子２を入力端子として使用する場合、つまり、切替制御信号がＬレベルにされている場合には、入力バッファ２２Ａはイネーブルとなる。入出力兼用端子２を出力端子として使用する場合、つまり、切替制御信号がＨレベルにされている場合には、入力バッファ２２Ａはディセーブルとなる。これは、入出力兼用端子２を出力端子として使用する場合には、入力バッファ２２Ａを作動させる必要がないためである。
【００４１】
上記実施の形態では、ＰＣ用アナログＲＧＢ信号の外部入出力回路について説明したが、この発明は、ＮＴＳＣやＰＡＬ等の複合ビデオ信号といったアナログ信号の外部入出力回路に適用することができる。
【００４２】
【発明の効果】
この発明によれば、小型化が図れる外部入出力回路が実現する。
【図面の簡単な説明】
【図１】モバイル用の液晶プロジェクタに採用されている外部入出力回路の第１の実施の形態を示す電気回路図である。
【図２】図１は、モバイル用の液晶プロジェクタに採用されている外部入出力回路の第１の実施の形態を示す電気回路図である。
【図３】モバイル用の液晶プロジェクタに採用されている従来の外部入出力回路を示す電気回路図である。
【符号の説明】
１　入力専用端子
２　入出力兼用端子
１３、２３　終端抵抗
１２、２２　入力バッファ
１４　スイッチ
１６　出力バッファ
２４　スイッチング素子
２６　スイッチ
３０　マイコン
【図１】
2004104755.tif 000003
【図２】
2004104755.tif 000004
【図３】
2004104755.tif 000005